(57)【特許請求の範囲】
【請求項１】
編成されたシガレット群（１１）のためのシガレットパックを製造するための装置であって、シガレット（１０）を収容するシガレットマガジン（１２）が、シガレット群（１１）を構成するシガレット（１０）の列のための複数の垂直なシャフト（１３）を備え、これらシャフトから、シガレット（１０）が、それぞれ積み重ねられた複数のシガレット（１０）から成る垂直な列（２２，２３）の形態で互いに横方向に間隔を置いて押出し可能であり、押し出されたシガレット（１０）が、シャフト（１３）に続いてシガレット群（１１）を編成するための成形部（２６）を有するベースプレート（２４）上の移送区間に沿って搬送可能であり、シガレット群（１１）が、シガレットコンベヤ（２１）のポケット（２０）内に挿入可能である、この装置において、
直接隣接するシガレット（１０）を有するシガレット群（１１）の編成を生じさせるために、それぞれの列（２２，２３）のシガレット（１０）と、シガレット（１０）の押出し及び搬送をするためにシガレット群（１１）内の垂直な列（２２，２３）に対応するように横方向に配設されたプッシュロッド（１５，１６，１７，１８）の少なくとも端のプッシュロッド（１８）とが、成形部（２６）の領域内で横方向に移動可能であること、端のプッシュロッド（１８）が、シガレットマガジン（１２）の、成形部（２６）とは反対側で、プッシュロッドの運動の経路に隣接して横に配設された支持又は案内要素（３２）に当接し、一方ではプッシュロッド（１８）に対する支持又は案内要素（３２）の相対位置に基づいて、他方ではプッシュロッド（１８）の形状及び位置に基づいて、プッシュロッド（１８）が、支持又は案内要素（３２）への当接に基づいた弾性変形によって、成形部（２６）の領域内で横方向に移動可能であることを特徴とする装置。
【請求項２】
支持又は案内要素が、支持ローラ（３２）として形成され、この支持ローラに、端のプッシュロッド（１８）が当接することを特徴とする請求項１に記載の装置。
【請求項３】
シガレットマガジン（１２）の各シャフト（１３）のためのアーム状のプッシュロッド（１５，１６，１７，１８）が、シャフト（１３）から２つ又は３つの積み重ねられたシガレット（１０）を押し出すために異なった有効高さで形成されており、２つのシガレット（１０）を押し出すための全高を有するプッシュロッド（１６，１８）が、押出しの間に２つのシガレット（１０）が３つのシガレット（１０）に対して高さがずれているように、ベースプレート（２４）から間隔を置いて配設されていることを特徴とする請求項１又は２に記載の装置。
【請求項４】
隣接するシャフト（１３）内のシガレット（１０）の異なった相対位置を設定するために、２つのシガレットが押し出されるシャフト（１３）が、その下端部に支持要素を有し、これらの支持要素が、３つのシガレットが押し出されるシャフト（１３）のシガレット（１０）に対する相対位置を設定しつつ、それぞれシャフト（１３）内の下のシガレット（１０）を支持し、これらの支持要素が、ベースプレート（２４）上のボトムリブ（２５）として形成されていること、ベースプレート（２４）上に配設された成形部（２６）が、サイドウォール（２７）及びカバーウォール（２８）を有する閉じた横断面の通路として形成されており、ボトムリブ（２５）が、シャフト（１３）の領域内のボトムリブ（２５）の不断の連続部として、シガレットマガジン（１２）に続く成形部（２６）の領域内に延在し、カバーウォール（２８）に、トップリブ（２９）が、ボトムリブ（２５）に対応するように２つのシガレット（１０）の垂直な列（２３）の領域内に配設されていることを特徴とする請求項１〜３のいずれか１つに記載の装置。
【請求項５】
シガレット群（１１）を構成するために、密集した形態にシガレット（１０）を位置決めするため、シガレット（１０）は、シガレットマガジン（１２）を出た後に横方向に変位可能であり、少なくとも端のプッシュロッド（１８）が、弾性変形をして、対応するシガレット（１０）と共に成形部（２６）の領域内で横方向に移動可能であることを特徴とする請求項１〜４のいずれか１つに記載の装置。
【請求項６】
変形可能な端のプッシュロッド（１８）が、薄壁の端部領域（３３）で、プッシュロッド（１５，１６，１７，１８）用のブロック状のキャリヤ（１９）に固定されており、これにより、キャリヤ（１９）から出た箇所で端部領域（３３）の弾性変形が行なわれることを特徴とする請求項５に記載の装置。
【請求項７】
成形部（２６）の領域内のボトムリブ（２５）及びトップリブ（２９）が、対応するシガレット（１０）又は列（２２，２３）の横方向の変位と共に狭まるように延在することを特徴とする請求項４に記載の装置。
【請求項８】
中間の列（２２，２３）のシガレット（１０）が、対応するプッシュロッド（１６，１７）に対して相対的に横方向に移動可能であり、これらのプッシュロッド（１６，１７）の端面（３４，３５）が、シガレット（１０）の横方向の移動に対応して斜めに整向されていることを特徴とする請求項１〜７のいずれか１つに記載の装置。
【請求項９】
成形部（２６）に隣接するシガレットコンベヤ（２１）のポケット（２０）が、ボトムリブ（２５）及びトップリブ（２９）の延長線上にリブ状の突出部（３６，３７）を有することを特徴とする請求項４又は７に記載の装置。
【発明の詳細な説明】
【技術分野】
【０００１】
本発明は、編成されたシガレット群のためのシガレットパックを製造するための装置であって、シガレットを収容するシガレットマガジンが、シガレット群を構成するシガレットの列のための複数の垂直なシャフトを備え、これらシャフトから、シガレットが、それぞれ積み重ねられた複数のシガレットから成る垂直な列の形態で互いに横方向に間隔を置いて押出し可能であり、押し出されたシガレットが、シャフトに続いてシガレット群を編成するための成形部を有するベースプレート上の移送区間に沿って搬送可能であり、シガレット群が、シガレットコンベヤのポケット内に挿入可能である、この装置に関する。
【背景技術】
【０００２】
通常のシガレットパックでは、シガレットの水平な列が、正確に言うと２列又は３列のシガレットが構成されるように、シガレット群は形成されている。本発明は、シガレット群内のシガレットのより複雑な編成とこのような編成の構成に関する。
【発明の開示】
【発明が解決しようとする課題】
【０００３】
本発明が基礎とする課題は、シガレットマガジンから隣接するシガレットコンベヤへの搬送の地点に至るまでシガレット群を移動している間に、所望のシガレットの編成が搬送の結果として自動的に生み出されるように、シガレットを製造するための装置を、特に案内及び移送要素を有するシガレットマガジンを形成することである。
【課題を解決するための手段】
【０００４】
この課題を達成するため、本発明による装置は、直接隣接するシガレットを有するシガレット群の編成を生じさせるために、それぞれの列のシガレットと、シガレットの押出し及び搬送をするためにシガレット群内の垂直な列に対応するように横方向に配設されたプッシュロッドの少なくとも端のプッシュロッドとが、成形部の領域内で横方向に移動可能であること、端のプッシュロッドが、シガレットマガジンの、成形部とは反対側で、プッシュロッドの運動の経路に隣接して横に配設された支持又は案内要素に当接し、一方ではプッシュロッドに対する支持又は案内要素の相対位置に基づいて、他方ではプッシュロッドの形状及び位置に基づいて、プッシュロッドが、支持又は案内要素への当接に基づいた弾性変形によって、成形部の領域内で横方向に移動可能であることを特徴とする。
【０００５】
シガレット群の編成は、好ましくは、複数の垂直な列が互いに隣接して配設されており、これらの列が、特に２つ又は３つの積み重ねられたシガレットから成る異なった数のシガレットを有するようになっている。ここで２つのシガレットから成る列は、３つのシガレットから成る隣接する列のシガレットに対して、「鞍の形態」に、即ち「互い違い」に、位置決めすべきである。
【０００６】
シガレットを押し出すためにシガレットマガジンの各シャフトに入る細長いプッシュロッドは、特別な方法で形成されている。そのサイズ及び相対位置のために、プッシュロッドは、積み重ねられた２つ又は３つのいずれかのシガレットを押し出す。成形部は、移送運動中に、シガレットの横方向の変位が生じ、これにより密集した（横方向の）形態が生じ、加えて、シガレットの２つの積み重ねから成る列のシガレットが、下及び／又は上の案内要素、特に案内リブによって支持されるように形成されている。従って、完全に構成されたシガレット群は、シガレットコンベヤ又はそのポケットに移動される。
【発明を実施するための最良の形態】
【０００７】
本発明の更なる個々の特徴を、図面に関連させて以下で詳細に説明する。
【０００８】
シガレット１０−又は比較可能な細長い対象−を包装する場合、平行な整向で、しかしながら編成されずに供給されるシガレット１０は、最初に特別に構成されたシガレット群１１にまとめられる。この場合、このようなシガレット群１１は、シガレットパックの中身に相当する。
【０００９】
シガレット群１１を構成するため、シガレット１０は、その下の領域が互いに隣接して配置された複数の垂直なシャフト１３から成るシガレットマガジン１２内に導入される。これらのシャフトは、同様に垂直な薄いシャフトの壁１４によって互いに限定されている。各シャフト１３は、密集した形態で個々に互いに上下に配設されたシガレット１０の垂直な列を含む（図１，図５）。
【００１０】
シガレット群１１を構成するため、相応の数のシガレット１０が、下端部でシャフト１３から押し出され、正確に言うと、少なくとも１つのシガレット１０が、各シャフト１３から押し出される。この場合、２つ又は３つのシガレット１０は、一度に特別に構成されたシガレット群１１を生じさせるためにシャフト１３から押し出される。互いに隣に配置されている１つのユニットに属するシャフト１３の数は、操作サイクル毎に押し出されるべきシガレット１０の列の数に一致する。
【００１１】
プッシュロッド１５，１６，１７，１８は、シガレットマガジン１２からシガレット群１１を押し出すために使用される。これらのプッシュロッドは、共同キャリヤ１９の片側に取り付けられている本質的に長方形の横断面プロフィルを有する細長いアームである。全てのプッシュロッド１５〜１８は、変位によってシガレットマガジン１２の裏側の初期位置（図１及び２において右側）からシャフト１３を経てその下の領域に移動され、最終的に、これらのプッシュロッドは、構成されたシガレット群１１が搬送位置、特にシガレットコンベヤ２１のポケット２０に達している最終位置（図１，図４）に達する。
【００１２】
プッシュロッド１５〜１８は、異なった横断面寸法を、特に異なった幅及び／又は高さを有する。中央の２つのプッシュロッド１５は、それぞれ３つの積み重ねられたシガレットから成る列２２を押し出すために使用される。プッシュロッド１５は、シャフト１３内の内部スペースよりも僅かに小さい横方向寸法を有する。これに隣接して、２つのシガレット１０は、即ち２つの積み重ねられたシガレット１０から成る列２３は、相応に構成されたプッシュロッド１６によって押し出されるべきである。シガレットマガジン１２から押し出される場合、これらのシガレットは、隣接する列２２のシガレット１０に対して高さに関してずれているべきである（図６）。プッシュロッド１６は、プッシュロッド１５よりも高さが小さく、また下の境界又はベースプレート２４から間隔を置いて位置決めされている。
【００１３】
隣接するプッシュロッド１７は、高さに関しては、プッシュロッド１５と比較可能である。これらのプッシュロッドは、３つのシガレット１０を含む列２２を押し出すために使用される。プッシュロッド１７は、狭い幅を有し、対応するシャフト１３内でずらされて配設されており、特にシャフト１３において隣接するプッシュロッド１６（図５）に面した側に位置決めされている。これにより、プッシュロッド１８に面した側に間隙が構成されることになる。
【００１４】
外側のプッシュロッド１８は、２つのシガレット１０を含む列２３を押し出すために使用され、従って、相応に配設及び寸法設定されているが、狭い幅を有し、従って薄壁形成となっている。プッシュロッド１８は、対応するシャフト１３に対して中央に位置決めされている（初期位置において）。
【００１５】
シガレット群１１の編成は、シガレットマガジン１２からシガレットコンベヤ２１にシガレット群１１を移送運動させている間に完成される。特に図７で見ることができるように、この模範的な実施例では、シガレット群１１は、いずれの場合も２つ又は３つの積み重ねられたシガレット１０から成る８つの垂直な列２２，２３から成る。２つのシガレット１０を含む列２３は、それぞれ外側に備えられている。同じ高さで互いに隣接して配置されたシガレット１０を含む２つの列２２は、シガレット群１１の中央に位置している。シガレット群１１のこの編成は、特に丸みのあるサイドウォールを有するフラップ式の蓋のボックスから成るタイプのシガレットパックに適している。
【００１６】
列２２に対する列２３内のシガレット１０のズレ（鞍の形態）は、シガレットマガジン１２の領域で予め設定されている。選択されたシャフト１３内のそれぞれ下のシガレット１０は、ベースプレート２４から適当な間隔−シガレット直径の約半分−を置いて列２３の下のシガレット１０を支持するスペーサと共に下端部に備えられている。これらのスペーサは、リブ、正確に言えばボトムリブ２５であり、これらのリブは、列２３と対応したシャフト１３内のほぼ中央でベースプレート２４に沿って延在する。これらのシャフト１３に入るプッシュロッド１６，１８は、ボトムリブ２５の上を移動される。列２３のそれぞれ下のシガレット１０は、対応するボトムリブ２５の上に載っている。支持要素として作用するボトムリブ２５は、シガレット１０のための全ての移送区間にわたって、即ちシガレットコンベヤ２１まで延在する。列２２のシガレット１０は、−ボトムリブ２５の間で−直接ベースプレート２４の上に載っている。
【００１７】
シガレットマガジン１２は、シガレットコンベヤ２１から距離を置いて配置されている。この中間の領域に配設されているのが成形部２６であり、ダイバータとも呼ばれ、これは、シガレット１０、又は押し出されたシガレット群１１を、搬送運動の間に最終編成にもたらす。成形部２６は、共同のベースプレート２４の上に取り付けられており、本質的にサイドウォール２７及びカバーウォール２８を有する閉じた横断面の通路として形成されている。互いに上下に配設された３つのシガレット１０を含む列２２は、ほぼ一致するようにベースプレート２４とカバーウォール２８の間に位置する。列２３のシガレット１０も、カバーウォール２８に対して間隔を置いて保持されており、正確に言う上のリブ、特にトップリブ２９によって保持されている。リブ２５，２９は、同時に、列２２のシガレット１０のための横方向ガイドを構成する。端の列２３のシガレット１０は、少なくとも上側に、特別なガイドを、特に案内ラグ３０を備えており、この案内ラグは、形状一体的に上のシガレット１０の上の輪郭を部分的に包囲する。これは、隣接する列２２，２３のシガレット１０が搬送中に互いに干渉することを防止する。
【００１８】
特別な特徴は、シャフト１３の形態又はシャフトの壁１４のために互いに距離を置いて押し出されるシガレット１０が、成形部２６の領域内の横方向運動によって互いに密集した形態になるまで押されることを要件とする（図６，図７）。これは、特に内面３１が狭まるサイドウォール２７によって、シガレット１０の運動の方向に先細る漏斗形の横断面を有する成形部２６によって得られる。シガレット１０の横方向の変位は、少なくとも端のプッシュロッド１８の横方向の変位を伴っている。これらのプッシュロッドは、前進運動中に横方向に負荷を受け、その結果、これらのプッシュロッドは、成形部２６の輪郭に従って、内側に移動され、特にこれらの端のプッシュロッド１８の問題のない変形を可能にするために内側に弾性変形される（図４）。端のシャフトの壁１４は、シガレット１０の押し出し方向に小さくなる寸法で形成形成されている（図２）。
【００１９】
案内又は支持リブ、特にボトムリブ２５及びトップリブ２９は、端のシガレット１０の横方向の変位に従い、またシガレット１０のための上又は下の支持面を構成する変化する幅の輪郭を有し、その結果、リブ２５，２９は、成形部２６の領域内を搬送している間に、また横方向の運動に関して最適な支持を提供する。
【００２０】
押出し運動の間の端のプッシュロッド１８の横方向の運動又は横方向の変形は、プッシュロッド１８が押し出し運動の間に当接する位置固定の案内要素によってもたらされる。これらの案内要素は、それぞれ垂直な回転の軸を有するプッシュロッドの運動の経路に隣接して横に取り付けられている支持ローラ３２である。支持ローラ３２は、プッシュロッド１８の外側に当接する。押出し運動の間にプッシュロッド１８の変形及び互いに向かう横方向の運動が外側のシャフト１３内で行われるように、一方で支持ローラ３２の相対位置が、他方でプッシュロッド１８の形状及び位置が選択されている。プッシュロッド１８は、完全に（弾性的に）変形可能である。この模範的な実施例では、プッシュロッド１８の薄壁の端部領域３３は、この端部領域３３の弾性変形がキャリヤ１９から出た地点で行なわれ、その結果、プッシュロッド１８が傾斜した位置にもたらされるようにブロック状のキャリヤ１９に固定されている（図４）。端部領域３３は、キャリヤ１９のスリット内で若干狭まる相対位置に固定されている。加えて又は選択的に、プッシュロッド１８の前端部は、成形部２６の狭まる内面３１によって該当するシガレット１０の横方向の変位と対応して内側に案内される。
【００２１】
隣接するシャフト１３内のシガレット１０、特にプッシュロッド１６及び１７に対応したシガレット１０も、密集した形態を構成するために成形部２６によって横方向に変位させられる。プッシュロッド１６，１７に対して相対的な運動を容易にするために、その端面３４，３５は、シガレット１０の変位の方向に傾斜を付けてある（図２〜図３）。
【００２２】
シガレットコンベヤ２１のポケット２０も、シガレット群１１の特別な編成に適合している。その上及び下又は半径方向に外側及び内側のポケットの壁に、各ポケット２０は、突出部３６，３７を有し、これらの突出部は、数の少ないシガレット１０を含む列２３によって構成された切取り部又は間隙に入る（図７）。突出部３６，３７は、ボトムリブ２５又はトップリブ２９の延長線上を延在するが、シガレット群１１内の密集した形態をしたシガレット１０の配設に基づいている。
【図面の簡単な説明】
【００２３】
【図１】シガレットマガジンの（下の）部分を、垂直断面図で示す。
【図２】下の断面内の水平領域にある図１によるシガレットマガジンを示す。
【図３】要素の位置が変更された図２と同様の図を示す。
【図４】再び要素の位置が変更された図３に対応する更なる図を示す。
【図５】図３における断面Ｖ−Ｖに対応するシガレットマガジンの領域内の横断面図を示す。
【図６】図３の断面ＶＩ−ＶＩの領域内の横断面図を示す。
【図７】図４の断面ＶＩＩ−ＶＩＩに対応するシガレットコンベヤの領域内の横断面図を示す。
【符号の説明】
【００２４】
１０    シガレット
１１    シガレット群
１２    シガレットマガジン
１３    シャフト
１４    シャフトの壁
１５    プッシュロッド
１６    プッシュロッド
１７    プッシュロッド
１８    プッシュロッド
１９    キャリヤ
２０    ポケット
２１    シガレットコンベヤ
２２    列
２３    列
２４    ベースプレート
２５    ボトムリブ
２６    成形部
２７    サイドウォール
２８    移送壁
２９    トップリブ
３０    案内ラグ
３１    内面
３２    支持ローラ
３３    終端領域
３４    端面
３５    端面
３６    突出部
３７    突出部
【図１】
0004616004.tif 000002
【図２】
0004616004.tif 000003
【図３】
0004616004.tif 000004
【図４】
0004616004.tif 000005
【図５】
0004616004.tif 000006
【図６】
0004616004.tif 000007
【図７】
0004616004.tif 000008